【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
軸方向に延びる支持孔を有することにより筒状を呈した主軸スリーブであって、ハウジングに形成された取付孔内に軸方向に挿入され、外周面が前記取付孔の内周面と対向した状態で、締結手段により軸方向の端部において前記ハウジングに対して固定される主軸スリーブと、
前記主軸スリーブの前記支持孔内において、複数の軸受を介して回転可能に支持されるスピンドルとを備え、
前記締結手段を解除することにより、前記スピンドルが取り付けられた前記主軸スリーブを前記ハウジングから取り外すことが可能な工作機械の主軸装置における主軸スリーブのハウジングへの取付方法において、
前記主軸スリーブを前記ハウジングの前記取付孔内に挿入する挿入工程と、
前記挿入工程の後に、前記取付孔内において、前記主軸スリーブを前記ハウジングに対して軸方向と異なる方向に相対移動させて、前記取付孔内において、前記主軸スリーブの移動後における前記主軸スリーブの外周面と前記取付孔との間の最少距離を、前記主軸スリーブの移動前における前記主軸スリーブの外周面と前記取付孔との間の最少距離よりも小さくする相対移動工程と、
前記相対移動工程後の状態において、前記締結手段により前記主軸スリーブの端部を前記ハウジングに固定する固定工程と、
を備えることを特徴とする工作機械の主軸装置における主軸スリーブのハウジングへの取付方法。
【請求項２】
前記相対移動工程は、前記取付孔内において前記主軸スリーブを前記ハウジングに対して相対移動させることにより、前記主軸スリーブの外周面を前記取付孔に対して当接させることを特徴とする請求項１に記載の工作機械の主軸装置における主軸スリーブのハウジングへの取付方法。
【請求項３】
前記相対移動工程は、前記取付孔内において前記主軸スリーブを軸回りに回転させることにより、前記主軸スリーブの外周面を前記取付孔に対して当接させることを特徴とする請求項２に記載の工作機械の主軸装置における主軸スリーブのハウジングへの取付方法。
【請求項４】
前記相対移動工程は、前記取付孔内において前記主軸スリーブを軸に対する直交方向に移動させることにより、前記主軸スリーブの外周面を前記取付孔に対して当接させることを特徴とする請求項２に記載の工作機械の主軸装置における主軸スリーブのハウジングへの取付方法。
【請求項５】
前記相対移動工程は、前記取付孔内において前記主軸スリーブを軸回りに回転させることにより、前記主軸スリーブの外周面を互いに対向する２か所において前記取付孔に対して当接させることを特徴とする請求項３に記載の工作機械の主軸装置における主軸スリーブのハウジングへの取付方法。
【請求項６】
前記主軸スリーブの外周面および前記取付孔の内周面は、ともに軸方向に垂直な断面形状が楕円形状をしており、
前記取付孔の内周面による楕円の長径は、前記主軸スリーブの外周面による楕円の長径に対して大きく形成され、
前記取付孔の内周面による楕円の短径は、前記主軸スリーブの外周面による楕円の短径に対して大きく形成され、
前記主軸スリーブの外周面による楕円の長径は、前記取付孔の内周面による楕円の短径に対して大きく形成されることを特徴とする請求項５に記載の工作機械の主軸装置における主軸スリーブのハウジングへの取付方法。
【請求項７】
前記スピンドルの回転中に、前記支持孔が前記スピンドルから荷重を受ける位置と、前記主軸スリーブの外周面において前記取付孔に対して当接する位置とが、円周上において互いに一致していることを特徴とする請求項５または６に記載の工作機械の主軸装置における主軸スリーブのハウジングへの取付方法。
【請求項８】
前記スピンドルの一端部には加工用刃具が取り付けられ、他端部には駆動モータの駆動力が伝達されるベルトが張架されており、被加工材が当接する前記加工用刃具の位置および前記ベルトが係合する前記スピンドルの位置のうちの少なくともいずれかと、前記主軸スリーブの外周面において前記取付孔に対して当接する位置とが、円周上において互いに一致していることを特徴とする請求項７に記載の工作機械の主軸装置における主軸スリーブのハウジングへの取付方法。
【請求項９】
前記主軸スリーブの外周面は軸方向に垂直な断面が正多角形状を呈しているとともに、前記取付孔の内周面は軸方向に垂直な断面が前記主軸スリーブの外周面による前記正多角形状よりも大きく且つ前記正多角形状と同角数の正多角形状を呈しており、
前記挿入工程は、前記主軸スリーブの外周面と前記取付孔とを同心上に位置させて、前記主軸スリーブを前記ハウジングの前記取付孔内に挿入し、
前記相対移動工程は、前記取付孔内において前記主軸スリーブを軸回りに回転させることにより、前記主軸スリーブの外周面のすべての隅部を、前記取付孔を形成する各々の面に対して当接させることを特徴とする請求項３に記載の工作機械の主軸装置における主軸スリーブのハウジングへの取付方法。
【請求項１０】
前記相対移動工程は、前記取付孔内において前記主軸スリーブを軸に対する直交方向に移動させることにより、前記主軸スリーブの外周面と前記取付孔の内周面とが面当りした状態とすることを特徴とする請求項４に記載の工作機械の主軸装置における主軸スリーブのハウジングへの取付方法。
【請求項１１】
軸方向に延びる支持孔を有することにより筒状を呈した主軸スリーブであって、ハウジングに形成された取付孔内に軸方向に挿入され、外周面が前記取付孔の内周面と対向した状態で、締結手段により軸方向の端部において前記ハウジングに対して固定される主軸スリーブと、
前記主軸スリーブの前記支持孔内において、複数の軸受を介して回転可能に支持されるスピンドルと、
を備え、
前記締結手段を解除することにより、前記スピンドルが取り付けられた前記主軸スリーブを前記ハウジングから取り外し可能な工作機械の主軸装置において、
前記主軸スリーブを前記ハウジングの前記取付孔内に挿入した後に、前記取付孔内において、前記主軸スリーブを前記ハウジングに対して軸方向と異なる方向に相対移動させることにより、前記取付孔内において、前記主軸スリーブの移動後における前記主軸スリーブの外周面と前記取付孔との間の最少距離を、前記主軸スリーブの移動前における前記主軸スリーブの外周面と前記取付孔との間の最少距離よりも小さくすることができるように前記取付孔と前記スリーブの外周形状は非真円形状に形成されており、
前記取付孔内において、前記主軸スリーブを前記ハウジングに対して軸方向と異なる方向に相対移動させた後の状態で、前記締結手段によって前記主軸スリーブを前記ハウジングに固定する固定手段を備えることを特徴とする工作機械の主軸装置。
【手続補正２】
【補正対象書類名】明細書
【補正対象項目名】０００７
【補正方法】変更
【補正の内容】
【０００７】
以下、上記課題を解決するのに適した各手段につき、必要に応じて作用効果等を付記しつつ説明する。
（手段１）手段１に係る工作機械の主軸装置における主軸スリーブのハウジングへの取付方法は、
軸方向に延びる支持孔を有することにより筒状を呈した主軸スリーブであって、ハウジングに形成された取付孔内に軸方向に挿入され、外周面が前記取付孔の内周面と対向した状態で、締結手段により軸方向の端部において前記ハウジングに対して固定される主軸スリーブと、
前記主軸スリーブの前記支持孔内において、複数の軸受を介して回転可能に支持されるスピンドルとを備え、
前記締結手段を解除することにより、前記スピンドルが取り付けられた前記主軸スリーブを前記ハウジングから取り外すことが可能な工作機械の主軸装置における主軸スリーブのハウジングへの取付方法において、
前記主軸スリーブを前記ハウジングの前記取付孔内に挿入する挿入工程と、
前記挿入工程の後に、前記取付孔内において、前記主軸スリーブを前記ハウジングに対して軸方向と異なる方向に相対移動させて、前記取付孔内において、前記主軸スリーブの移動後における前記主軸スリーブの外周面と前記取付孔との間の最少距離を、前記主軸スリーブの移動前における前記主軸スリーブの外周面と前記取付孔との間の最少距離よりも小さくする相対移動工程と、
前記相対移動工程後の状態において、前記締結手段により前記主軸スリーブの端部を前記ハウジングに固定する固定工程と、
を備えている。